(57)【要約】【課題】  家畜体用の従来の舐用固形飼料，舐用固型混合飼料，軽量舐用固型混合飼料等は、主に畜舎内専用に舐用させ、柱等にて、設置時に、必ず固定装置（受け皿），その付属品（結束バンド，ボルト，ネジ，。）が必要。イ）固定装置の取り付けの手間。ロ）固定装置の製造コスト等。ハ）固定装置の付属品の取り寄せ。以上の点から、舐用時の全家畜体にて、ミネラルの補給及び、健全性のバラツキの課題。【解決】  連結機能（凹）部位を有する舐用固型混合飼料９，場合によっては１０，にて凹部位そのものが受け皿になり、上記の課題を解決。又、放牧上での連結で繋ぐ機能性をもつ舐用固型混合飼料から、例えば、外環境（風，小気流。），バランス等。に対する安定  ，安全性をもつ、連結式舐用固型混合飼料７，。【選択図】図１
2015070827.tif 000002
【特許請求の範囲】
【請求項１】
３種類の連結機能（凸・凹）部位を有する各々の舐用固型混合飼料８，９，１０，の、うち、上記同様舐用飼料９，又は場合によっては、１０，の連結部位凹部にて、従来の各々の舐用シリーズの飼料（舐用固形飼料，舐用固型混合飼料，軽量舐用固型混合飼料。）等の１個を設置可能になり、受け皿の役目を果たし、従来の固定装置（プラスチック製の受け皿。）及びその付属品（結束バンド，ボルト，ネジ，。）の不要。
【請求項２】
３種類の連結機能（凸・凹）部位を有する各々の舐用固型混合飼料にて、連結機能（凸・凹）部位を少なくとも１個備えて設け、連結部位の設置場が上下及び、左右，縦，横，等方向に備え付けられた、各々の３種類の連結機能（凸・凹）部位を有する舐用固型混合飼料８，９，１０，。
【請求項３】
従来の舐用固型混合飼料のモデルを基本とした、連結機能（凸・凹）部位を設けた３種類の各々の連結機能（凸・凹）部位を有する舐用固型混合飼料８，９，１０，の製造は、上記の３種類の各々の連結機能（凸・凹）部位を設けた金型にて、各々の原料及び添加物に少量の水を加えた混練物を入れ、加圧加熱方式又は、真空加圧方式にて、乾燥（風乾），（その段階にて、場合によっては、昇華剤混入により、軽量化も可能。）にて、仕上がった、各々の３種類の各々の連結機能（凸・凹）部位を有する舐用固型混合飼料８，９，１０，をそれぞれ、上記同様舐用飼料８，は、５個，そして上記同様舐用飼料９，は、４個，又、上記同様舐用飼料１０，は、１個，以上を、繋ぎ合わせた集合体、つまり、連結式舐用固型混合飼料７，に至る。
【発明の詳細な説明】
【技術分野】
【０００１】  本発明は、従来の舐用固型混合飼料に、連結機能（凸・凹）部位を設けた舐用固型混合飼料に関する。
【背景技術】
【０００２】  従来の舐用固形飼料，舐用固型混合飼料，軽量舐用固型混合飼料，（特許文献１，２，３，を参照。）上記の各々の舐用シリーズの飼料は、家畜体（乳牛，肉牛，等。）の飼育を目的として、その家畜体が舌でもって固形化されたミネラル類等を自由に簡単に、摂取でき開発された製品である。又その上、上記の各々の舐用シリーズの飼料は、形状，サイズ，面積及び容積などが、小型化されて設計製造されたものであり、よって、放牧場にあまり向かず、限られた立地条件下つまり、畜舎内（繋留式＝スタンチョン・ストール方式等。）にて飼育されている家畜体に向けられ、舐用摂取させていた。【０００３】  しかし、この従来の各々の舐用シリーズの飼料は、実際に設置する際にて、それに伴うコストと時間などの問題を、長い間抱えていた。今回、従来の問題を解決するに当たって「連結機能」を発案した。この連結機能（凸・凹）を設けた舐用固型混合飼料のモデルの基本は、下記の特許文献２を参考にして、放牧用に改良して開発した製品に至る。
【先行技術文献】
【特許文献】
【０００４】
【特許文献１】特開昭６３年第１８１９５１号公報（第１〜４項，第１図，第２図。）
【特許文献２】特開平０６年第０９０６７４号公報（第１〜３項，第１図〜第３図。）
【特許文献３】特開平０９年第２９４５４５号公報（第１〜３項。）
【非特許文献】
【０００５】
【非特許文献１】「第４０回日本食品工業学会」（平成０５年０３月２７日〜２８日。）農林水産省食品総合研究所，「カルシウムによる微生物制御の可能性について。」
【非特許文献２】日本経済新聞社朝刊，毎日新聞社朝刊，日刊工業，日本工業及び日本農業新聞社等の報道機関（平成０５年０３月２４日，水曜日。）にて、記載。
【非特許文献３】三村  耕，森田  琢磨  著，「家畜の管理学」養賢堂，昭和５５年度１０月０１日，Ｐ２０３〜Ｐ２０４．
【非特許文献４】Ｉ．Ａ．ＤＹＥＲ＆Ｃ．Ｃ．Ｏ‘ＭＡＲＹ執筆者，川島  良治  監訳，「フィードロット肉牛の肥育と経営」養賢堂，昭和５５年０１月１０日，Ｐ９８〜Ｐ１０２，Ｐ１５５〜Ｐ１５８．
【非特許文献５】梅津  元晶  著，「家畜の生理学」養賢堂，昭和４７年０５年０１日，Ｐ２０１〜Ｐ２０２．
【非特許文献６】Ｊ．Ｍ．ＰＡＹＮＥ著，元井  葭子，小原  嘉昭  訳，「牛の栄養障害と代謝病」（Ｍｅｔａｂｏｌｉｃ  ａｎｄ  Ｎｕｔｒｉｔｉｏｎａｌ  Ｄｉｓｅａｓｅｓ  ｏｆ  Ｃａｔｔｌｅ），Ｐ１３〜Ｐ２６．Ｐ２８〜Ｐ３３．チクサン出版社．
【非特許文献７】五十嵐  修  著，「ビタミン」丸善，平成０３年０７月２０日，Ｐ６５〜Ｐ７０．Ｐ１６１〜Ｐ１６６．
【非特許文献８】須田  立雄，尾形  悦郎，小椋  陽介，西井  易穂  著，「ビタミンＤ−その新しい流れ」講談社，１９８１年０４月０１日，Ｐ１１〜Ｐ１２．Ｐ７０〜Ｐ７２．Ｐ８５〜Ｐ８８．
【非特許文献９】川田  信平，醍醐  正之  著，「図説家畜比較解剖学上巻」文永堂，昭和５７年０４月２０日，Ｐ２６８〜Ｐ２７１．Ｐ２７９〜Ｐ２８３．Ｐ２９８〜Ｐ３１２．
【発明の概要】
【発明が解決しようとする課題】
【０００６】  家畜体に、前記の、背景の技術、の内容文にて従来の各々の舐用シリーズの飼料を給与する際に、柱等に必ず、上記同様の各々の舐用シリーズの飼料を支えるための、固定装置（材質：プラスッチク製の受け皿。）とその付属品である結束バンド（材質：６６ナイロン，引張強度７９．４Ｋｇ，使用温度範囲：マイナス４０度〜７５度，結束内径：１４０ｍｍ。）又はボルト，ネジ，（鉄製。）が絶対必要であった。それは何故なら、固定装置及び、その付属品なしで、この各々の舐用シリーズの飼料を、家畜体に舐用補給させるとき、家畜体の好奇心等から、家畜体の舌の力作用及び頭部にて、本体の各々の舐用シリーズの飼料を突いたり、転がして遊んだりして、設置場がずれて、全家畜体の舐用効能及び効果による栄養補給のバラツキが大きかった。よって、下記の課題が発生した。
イ）．家畜体全頭数に固定装置と、その付属品の取り付けの手間。
ロ）．固定装置（材質：プラスチック製の受け皿。）の製造コスト，等。
ハ）．固定装置の付属品の取り寄せ。
本発明は、上記の課題を解決した、連結式舐用固型混合飼料７，及び、３種類の連結機能（凸・凹）部位を有する、各々の舐用固型混合飼料８，９，１０，の提供にある。
【課題を解決するための手段】
【０００７】  まずは、連結機能（凸・凹）部位を有する各々の舐用固型混合飼料８，９，１０，の金型の設計及び研究から始まり、前記の機能を有する各々の舐用固型混合飼料８，９，１０，の大きさ，形状，面積，重量，種々の原料並びに添加物等の選定などを検討した結果、下記の通りになった。【０００８】  従来の舐用固型混合飼料（特許文献２を参照。）の形状，サイズ，（縦１６Ｃｍ，横１６Ｃｍ，厚さ１０Ｃｍ，で形状：直方体。）を基本として、それらを変更し、今回は、縦４５Ｃｍ，横４５Ｃｍ，厚さ４５Ｃｍ，の少し大きめの正方立方体（ブロック形状。）で設けた、連結部位凸の所は、凸のサイズ、縦１６Ｃｍ，横１６Ｃｍ，高さ５Ｃｍ，次に、連結部位の凹の所は、凹のサイズ縦，横，深さ（溝）は、上記の凸の各々サイズのプラス数ミリ程度の範囲に設定。そして、連結機能（凸・凹）部位を、少なくとも各１個備えて設け、連結部位の設置場が上下及び、縦，横，等方向に備え付けらた、３種類の各々の正方立方体形状で連結機能（凸・凹）を有した舐用固型混合飼料８，９，１０，の金型設計の開発に至った。【０００９】  次に、連結機能（凸・凹）部位を設けた、３種類の各々の舐用固型混合飼料の金型にて、種々の（鉱山質系及び海洋系）鉱物ミネラル類の原料及び添加物等の選定，配合と、少量の水と混ぜて枠型混入，加圧加熱方式又は、真空加圧方式にて成型，乾燥（風乾）にて、本体の３種類の連結機能（凸・凹）部位を有する各々の舐用固型混合飼料８，９，１０，の完成に至る。尚、加圧加熱及び、真空加圧方式中の段階にて、場合によっては、昇華剤混入により、軽量化も可能。【００１０】  以上の過程を得て、畜舎内にて、完成した連結機能（凸・凹）部位を設けた舐用固型混合飼料９，場合によっては、１０，の凹部（溝）の所にて、従来の各々の舐用シリーズ等の飼料等を１個、設置可能になり、受け皿の役割を果たし、課題として固定装置及び、その付属品の装着は、不必要。よって、作業効率の向上化及び、放牧上では上記の連結機能によって、舐用飼養に対する応用が可能なため、課題の解決手段に至った。
【発明の効果】
【００１１】  この連結機能（凸・凹）部位を有する各々の舐用固型混合飼料８，９，１０，及び、連結し得た連結式舐用固型混合飼料７，は、下記のような効果を奏する。
イ）．連結機能（凸・凹）部位を設けた舐用固型混合飼料９，場合によっては、１０，のその凹部（溝）にて従来の各々の舐用シリーズの飼料等を１個設置可能により、受け皿の役目を果たし、よって、固定装置及び、その付属品が不要になった。
ロ）．放牧上において、積木のブロックのように連結機能（凸・凹）部位を設けた３種類の各々の舐用固型混合飼料８，９，１０，が、連結し合うことによって、応用自在にいろいろな連結形状と、大きさ等が可能になって、家畜体の大小（仔牛，成牛等。）の体格に合わせて、個々，個別にフィットした舐用摂取。又、それによって、全ての家畜体にて、充実したミネラル補給が、可能になり、以前にての、課題から発生していた舐用に関する、栄養補給のバラツキ等の解決に至った。
ハ）．連結機能（凸・凹）部位を設けた、各々の舐用固型混合飼料８，９，１０，の構造面から、粒径（メッシュ）の異なった数種の鉱物類（鉱山質系及び海洋系）原料及び添加物が複雑に混じり合って固めていることから、その内部は、超微細な空洞が生じている。よって、たまに性格の荒い家畜体（牛）が、舐用摂取なしに、いきなり無意味に頭部にて本体の連結式舐用固型混合飼料７，に大きな力でぶつかってきても、その力の衝撃波が、前記同舐用飼料７，の形状（十字クロス）全体に均一に左右上下に、分散（又は一部吸収）されて、緩衝作用を発することから、同様舐用飼料７，の損害程度は、ごく小さく経済的損失は、ごく僅かに済んでいる。
ニ）．この連結式舐用固型混合飼料７，は、放牧用（アメリカ大陸型用フィードロット方式。）に開発された製品で、連結し得たことから、上記同様舐用飼料７，の重量そのものが増しているため、外環境による、例えば風，小気流等でもある程度安定度を示すため、家畜体が不安，ストレスなく安心して、舐用摂取が、可能になった。
ホ）．又、上記同様舐用飼料７，にて、舐用総面積も大きく，広く，全ての家畜体が、好きなだけ、自由に長期間に渡って、舐用摂取できることから、家畜体から発する唾液の多量放出からの舌下腺等（非特許文献９を参照。）の刺激。よって、その口腔内の内分泌腺の組織器等の活性化に繋がって、唾液成分中（非特許文献５を参照。）にてのローダン（結核菌を殺菌する物質。）等及び、微量のリゾチーム（菌体を溶解する物質。）等の活性度の向上に繋がっていくと、推察している。実際、長期間、同様舐用飼料７，を舐用摂取していた家畜体が、何らかの原因により、感染症に煩って、獣医師により、早期段階にて、動物医薬品（坑菌剤）を投与した結果、回復の早さを示した。
ヘ）．放牧用に開発された、この連結式舐用固型混合飼料７，は、外界からの日光による紫外線照射により、家畜体の皮下組織内在のコレステロールのプロから、プレビタミンＤそしてビタミンＤへと変換され、肝臓経由して、腎臓内組織（経由中に、副甲状腺ホルモン関与…ＰＴＨ。）の、水酸化反応による、活性型ビタミンＤ３の合成産性にて、効率の良いミネラル吸収（当本体の同様舐用飼料７，の主要成分牡蛎殻粉末等。）の促進性により、長期間観察した結果、家畜体の飼料の喰い込みの向上，疾病予防的効果を示し、又、家畜体自身の性格そのものが、穏やかになってきている感じであった。
【図面の簡単な説明】
【００１２】
【図１】  本発明の一実施例を示す連結式舐用固型混合飼料７，の斜視図である。
【図２】  連結機能部位凸のみを備えた上記同様舐用飼料８，の斜視図である。
【図３】  連結機能部位凹のみを備えた上記同様舐用飼料９，の斜視図である。
【図４】  連結機能部位凸又、凹の両方を備えた前記同様舐用飼料１０，の斜視図。
【図５】  図４を例として、上記同様舐用飼料１０，を後方から見た外見図。
【図６】  図５から図４の上記同様舐用飼料１０，ＡーＡ線及びＢーＢ線の断面図。
【発明を実施するための形態】
【００１３】  連結式舐用固型混合飼料７，を成している、各々の３種類の連結機能（凸・凹）部位を設けた舐用固型混合飼料８，９，１０，にて、連結機能（凸・凹）部位を少なくとも１個備えて設け、連結部位の設置場が上下及び、縦，横，等方向に備え付けられた３種類の上記同様舐用飼料８，９，１０，の製造過程は、下記に示す。
イ）．厳選選定された数種類の鉱物類の、原料及び添加物を少量の水と共に加え、混練。
ロ）．３種類の連結機能（凸・凹）部位を有した各々の舐用固型混合飼料８，９，１０，の金型に、イ）の混練物を入れる。
ハ）．加圧加熱方式及び、真空加圧方式にて、成型。
ニ）．乾燥（風乾）して、仕上がる。（又、この段階過程によって、昇華剤使用により、軽量化も可能。）以上から、連結機能（凸・凹）部位を設けた、各々の３種類の舐用固型混合飼料８，９，１０，が完成致し、それらを使用し、繋いで組み立てていくことにより連結式舐用固型混合飼料７，が出来上がる。又、組み立て中に接着剤（トウモロコシデンプン等を含んだゲル状の液剤）を使用すれば、更に連結強化の作用を発する。
【実施例】
【００１４】  実施例として、この連結式舐用固型混合飼料７，下記の成分配合割合にて、決定された。主原料として、牡蛎殻粉末３０．７重量％，粉砕岩塩２０重量％，スターチ（トウモロコシ等。）３０．７重量％，添加物として、ドロマイト０．２重量％，第３リン酸カルシウム０．１重量％を用いて、主原料と添加物ともに粒径０．５ｍｍ〜２ｍｍのものとする。各々の３種類の連結機能（凸・凹）部位を設けた舐用固型混合飼料８，９，１０，の形状，サイズは、縦４５Ｃｍ，横４５Ｃｍ，厚さ４５Ｃｍの正方立方体（ブロック形状。）で、それに備えた連結機能の部位、凸の部位サイズは、縦１６Ｃｍ，横１６Ｃｍ，高さ５Ｃｍ，にして、凸の部位サイズの範囲は、縦，横，共に１６Ｃｍ〜２０Ｃｍまでの範囲が望ましい。そして、高さは、５Ｃｍ〜６．５Ｃｍまでの範囲が望ましい。次に、連結機能の部位、凹の部位（溝部）サイズは、上記の凸の部位サイズの縦，横，高さ，各々に合わせて、プラス３ｍｍに設定。その凹の部位サイズの範囲は、縦，横，深さ（溝）、３ｍｍ〜５ｍｍまでの範囲が望ましい。以上より、各々の主原料及び添加物に、少量の水を加え、均一混練し、各々の３種類の連結機能（凸・凹）部位を設けた、舐用固型混合飼料８，９，１０，の各々の枠型にて、その混練物を入れて、加圧加熱方式（場合によっては、真空加圧方式。）を主体にし、乾燥（風乾）して、仕上がる。今回の連結式舐用固型混合飼料７，を完成必要とする、各々の３種類の連結機能（凸・凹）を有する舐用固型混合飼料８，９，１０，のうち、８，は５個にて製造。９，は４個にて製造。１０，は１個にて製造。
よって、各々の３種類の連結機能（凸・凹）部位を有する舐用固型混合飼料を１０個を、外での組み立て作業にて、向かい風に対し、中心軸から外側に向かって、反時計回りの方法で繋げて組み立てて、連結された集合体。連結式舐用固型混合飼料７，に成る。【００１５】  以上の完成品、連結式舐用固型混合飼料７，の配合成分にて、スターチ（トウモロコンデンプン）は、バインダーの役目は、非常に優れている。そして、放牧上での複雑な厳しい外環境といった観点から、この成分を多く配合した。又、原料及び添加物の混練物を、固める際の製造方法も、真空加圧方式も勿論、素晴らしいが、旧式の加圧加熱方式の方が前者と比較して、若干の差であるが、有効であった。今回は、加圧加熱方式を主体に製造することに決定した。【００１６】  次に、連結式舐用固型混合飼料７，における組み立て手順方法を下記の通り行う。
イ）．連結機能部位凸部のみを設けた舐用固型混合飼料８，を上記連結同様舐用飼料７，の組み立て順においての起点．中心軸に置く。ここから組み立てスタート。
ロ）．起点中心軸に当たる同様舐用飼料８，の連結部位凸部：１１，１２，１３，１５，の所及びその周囲面にて、接着剤（トウモロコシデンプン等を含んだゲル状の液剤。）を万遍なく多量に塗付けて、暫くしてから、その同様舐用飼料８，の連結部位凸部１５，に同様舐用飼料９，の連結部位凹部２０，を接合。
ハ）．連結して中心軸を成している同様舐用飼料８，の連結部位凸部１１，に同様舐用飼料９，の連結部位凹部２１，を接合。中心軸の同様舐用飼料８，の連結部位凸部１２，１３，は、同様舐用飼料９，の連結部位凹部の２２，２１，に接合。
ニ）．中心軸によるの同様舐用飼料８，の連結部位凸部１３，と既に連結し得た同様舐用飼料９，の連結部位凹部２１，の面の対象面凹部１９，は、同様舐用飼料８，の連結部位凸部１１，に接合。
ホ）．中心軸起点である、同様舐用飼料８，にて、左方向に既に連結し得た２番目の同様舐用飼料９，の連結部位凹部２２，は、同様舐用飼料８，の連結部位凸部１２，に接着剤にて、接合。
ヘ）．中心起点の同様舐用飼料８，の結合部位凸部１１，と既に連結し得た同様舐用飼料９，の連結部位凹部２１，の面の対象面凹部１９，は、同様舐用飼料８，の連結部位凸部１３，に接着剤接合。
ト）．中心起点の同様舐用飼料８，にて、左方向に既に連結し得た３番目の同様舐用飼料８，の結合部位凸部１５，は、同様舐用飼料９，の連結部凹部２０，に接着剤接合。
そして、最後に縦方向，横方向，の繋がった各々の同様舐用飼料の、起点中心軸にあたる、同様舐用飼料８，の連結部位凸部１４，は、同様舐用飼料１０，の結合部位凹部２４，にて、接着剤接合。よって、連結式舐用固型混合飼料７，が出来るが、放牧上での作業なので、外環境（風，小気流，），バランス等などを考慮して、安全性等から、組み立ては上記の通り反時計回りにし、１段目をベースとして、２段目，３段目，と積み重ねていき、連結していく場合に、この組み立て順がある程度意味をもって来ると、思われる。【００１７】  牡蛎殻粉末は、当時、第４０回日本食品工業学会（平成０５年０３月２７日〜２８日）で、「成果の意義」の覧にて、下記の事が、記載されていた。（非特許文献１を参照。）イ）．食中毒防止。ロ）．食料資源の廃棄率の現象。ハ）．食品の品質向上並びに保持。ニ）．カルシウム不足の解消。ホ）．健全な食品供給。又、日本国内の各報道機関（非特許文献２を参照。）にも記事になっていた。その内容として、天然の牡蛎殻粉末は、細菌増殖を防ぎ、これは、主成分である水酸化カルシウムとその他の微量成分が一緒に伴って始めてカルシウムが菌の膜表面に作用し、繁殖を抑える効果。但し、合成の水酸化カルシウムのみでは、その効果無し。食品保存にて、従来の一般的の酸性の酢，有機酸などの化学合成の殺菌剤使用していたが、アルカリ性のカルシウム（天然の牡蛎殻粉末。）を使用したのでは、従来方法より、はるかに保存の向上が表れていた。以上述べられている。【００１８】  カルシウムの重要性として、一部参考文献（非特許文献６を参照。）からそのまま抜粋すると、例えば、乳牛が骨代謝にて、骨内外のカルシウム交換は発育に備えるため、特に重要で年齡が上がるにつれて、この交換能は低下して骨の可変貯蔵量は、変動しにくく、これに平行して高齢牛では、上記の骨代謝が利用しにくくなる。つまり、高齢牛の分娩性低カルシウム血症の発生の一要因となっている。ある報告によると、一必乳期の間に乳牛は、約１８％のもののミネラルが、骨から失われる。しかし、その不足分をもし「乾乳期の間」にて、予備のミネラルで充足されると長期間全く、問題がないと言われている。
（補足：乾乳期とは、分娩に備えて、牛をできるだけ休息させる時期で胃腸や肝臓の機能を整える。通常のこの期間は、５０日〜６０日必要、しかし９０日以上は、マイナス。）【００１９】  前記の学会及び報道関係、参考文献抜粋から、主原料として牡蛎殻粉末の主成分である水酸化カルシウムと数十種類の微量ミネラル（約１７種類。）の両者がバランス良く組成されていて、骨代謝等のカルシウム補給と吸収の向上性及び、家畜体（ここでは、乳牛。）の第１胃内又は別名ルーメン内（非特許文献９を参照。）にて、生息しているルーメンバクテリア（微生物），プロトゾア（原虫），酵素等の活性化。バッファー作用（胃内酸度調整。）等の促進。又は、この主原料、牡蛎殻粉末使用により、本体の連結式舐用固型混合飼料７，にて、の品質保持及び、食中毒防止等にも役立っている。以上から牡蛎殻粉末を主体に配合している。次に、粉砕岩塩は舐用時において、嗜行性は勿論のことナトリウムと塩素は、血中にて塩化ソーダーとして約０．６％含有し、胃液の塩酸分泌として必須である。尚、塩分不足は、家畜体の成長が妨げられ、炭水化物，蛋白質が十分利用できなくなる。又、塩素は細胞内外に存在し、血球のガス交換（塩素移動）に重要な役割から配合している。そして、スターチ（トウモロコシデンプン）は、各々の原料及び添加物を固める作用を致し、今回、放牧（複雑な外環境等。）の観点から、本体の固型の崩れ防止のため、スターチを多く配合し、しかも組成もデンプン質なので栄養価も高い。【００２０】  添加物としてドロマイトは、鉱山質系の炭酸塩鉱物で今回、全配合割合中から、少量のカルシウムの補助的補給で、特にマグネシウムに重点を置いた。この鉱物は、以外とマグネシウムが多く含有しており、例えば栄養性の低い牧草で飼育された仔牛，成牛にて、血中マグネシウム濃度が、１ｍｇ／１００ｍｌ（正常値：２．５ｍｇ／１００ｍｌ。）以下になると低マグネシウム血症（別名グラステタニー症）を発症する。又、マグネシウムは、カルシウム代謝（例えば、カルシウム不足の、骨塩溶解亢進時にて、副甲状腺ホルモンの分泌量に関与。）と、密接な関係及び、生体内の約数百種類の酵素（例えば、カルシウム吸収等にて、腎臓の近位尿細管細胞内等で活性ビタミンＤ３合成する際の、ミトコンドリアからの酵素…１α水酸化酵素等に関与。）をコントロールしていることから、考慮して微量だが、ドロマイトを配合した。次に第３リン酸カルシウムは、若干の微量補助的カルシウム補給は勿論のこと、特にリンに重点を置いた。これも一部、参考文献にて抜粋した。リンは、唾液の構成成分で代謝に関与し、唾液の効用は２つあり、１つ目はリンの恒常性維持，唾液の消化管循環に依存してこの循環を妨害すれば、低リン血症の発症。つまりこれは、リンなしで家畜体は、飼料消化できなく健康を損なう。２つ目は、核蛋白質の構成成分で、家畜体内の発育組織に重要な役割を果たし、ある栄養物は、リン酸型で、吸収されている。例えばアデノシン三リン酸，クレアチニンリン酸のようなエネルギー豊富な化合物として、大切で又、リン脂質（細胞膜の構成成分等。）は、代謝の運搬経路に関与している。以上のことから、家畜体が、連結式舐用固型混合飼料７，を舐用摂取する際、舐用面積等が、大きく，広いため、多量の唾液放出する点から、補助的リンの補給とリンの維持に注目して、添加物である第３リン酸カルシウムを微量配合した。【００２１】  以上のことから、従来の各々の舐用シリーズの飼料を携わって来て、将来の展望として、先ずは、米国で今話題の、新型製造機「３Ｄプリンター」の誕生に感謝しています。この応用にて、上記の新型製造機により、近い将来、例えば、動物医薬品：仮名として、「合成ミネラル舐用固型混合添加剤」の誕生も可能として考えています。形状は、円柱型の予定で、この場合は、従来の固定装置，その付属品の改良の必要性が上げられ、又、その配合成分は、原料として、微粉末化した牡蛎殻粉末，合成ケイ酸アルミニウム，炭酸マグネシウム，ブドウ糖（結晶化。），砂糖，無水カフェイン，食塩等更に、固形促進剤として、トウモロコシデンプン，ヒドロキシ・プロピルメチル・セルロース等，添加物として、合成香料：（まだ未定），合成色素：青一号，商品の艶として、カルナバロウ等、以上で配合割合，及び量なども未定で、その用途として、乾乳期又は、代謝性疾患（飼料の急変等の生体内のミネラルのアンバランス，環境変異による原因等。）に絞って、舐用させようと考えています。次に、従来の各々の舐用シリーズの飼料は、家畜体つまり、仔牛（又は育成牛）と成牛（最高泌乳期等）に舐用摂取，以上、２通りの舐用方法を考えています。【００２２】  このことから、家畜体の一生において、補助的サポートを主体に致し、その本当の目的は、家畜体が、誕生して、一生における仕事（泌乳期等。）の役目終えて、出荷（屠殺場…肉。）まで無事，疾病なく，事故なく健康で長生きして頂くことを、切に願い。又、それと同時に、牧場経営者にとっての無駄な出費等の軽減，よって、結果的には、節税効果に繋がって行けるような思いを込めて、家畜体用の従来の各々の舐用のシリーズの飼料の研究開発に、長く行ってきました。最後に、この知的財産権つまり、特許権の未来の行く末としては、ＴＰＰの場合、米国を中心軸とした加盟国同志が所有する特許を、“お互いに与え合う精神”を基本とした上で、繋がって“連結”し、それが最終的に“１つに固まる。”そして、どの様な“型”でもっての、“絆”を作り、ＴＰＰ加盟諸国同志の共存共栄のもとで、“１つになった知的財産（特許）製品”として、これからまだ未加入国に対して、交渉，検討，等の繰返しをしながら自由に広く羽搏いて、渡っていける光の時代になるのを心から願って…。発明者として、思った次第です。
【符号の説明】
【００２３】７      連結式舐用固型混合飼料。（各々の３種類の連結機能（凸・凹）部位を有する舐用固型混合飼料８，９，１０，の組合せ。）
８      連結機能凸部位のみを設けた舐用固型混合飼料。
９      連結機能凹部位のみを設けた舐用固型混合飼料。
１０    連結機能凸部位又凹部位の両方を兼ね備えた舐用固型混合飼料。
１１  １２  １３  １４  １５  １６  １７  １８      連結機能凸（突起部）部位。
１９  ２０  ２１  ２２  ２３  ２４  ２５  ２６      連結機能凹（溝部）  部位。
【図１】
2015070827.tif 000003
【図２】
2015070827.tif 000004
【図３】
2015070827.tif 000005
【図４】
2015070827.tif 000006
【図５】
2015070827.tif 000007
【図６】
2015070827.tif 000008